(57)【要約】【課題】  固定枠を壁等に取付けたまま、パネル保持枠の固定枠に対する相対移動によってパネル保持枠を固定枠から取外し且つ固定枠に取付けることができるフレームユニットを提供すること。【解決手段】  固定枠２と、この固定枠２に取付手段３を介して取外し可能に固定され且つパネルを保持可能なパネル保持枠４とを備え、上記取付手段３は、パネル保持枠４の固定枠２に対する相対移動によってパネル保持枠４を固定枠２から取外し且つ固定枠２に取付けることができるように構成され、パネル保持枠４は、固定枠２から取外すための補助具が結合される被結合手段２３を有することを特徴とするフレームユニット。【選択図】  図２
2008259755.tif 000002
【特許請求の範囲】
【請求項１】
固定枠と、該固定枠に取付手段を介して取付けられ且つパネルを保持するようにしたパネル保持枠とを備え、前記取付手段は、前記パネル保持枠の固定枠に対する相対移動によって前記パネル保持枠を前記固定枠から取外し且つ該固定枠に取付けることができるように構成され、且つ前記パネル保持枠には、該パネル保持枠を前記固定枠から取外すための補助具が結合される被結合手段が設けられていることを特徴とするフレームユニット。
【請求項２】
前記取付手段は、前記パネル保持枠の第一の縁が挿入可能に前記固定枠に設けられた第一の溝と、前記パネル保持枠の第二の縁が挿入可能に前記固定枠に設けられた第二の溝とを有し、該取付手段は、前記パネル保持枠の第一の縁が前記固定枠の第一の溝の底まで挿入されたとき前記第二の縁を前記第二の溝から脱落させ且つ前記第一の縁を前記第一の溝から外すことができる取外し位置と、前記パネル保持枠の第一の縁が前記固定枠の第一の溝の底まで挿入され且つ前記第二の縁が前記第二の溝内に挿入されたとき前記第一の縁および第二の縁を前記第一の溝および第二の溝内にそれぞれ挿入することができる取付け位置とを有することを特徴とする請求項１記載のフレームユニット。
【請求項３】
前記パネル保持枠は、パネルが配置されるベースと、該ベースに取付けられ前記ベース上に配置されたパネルを覆うように前記ベースに重ねて配置される透明のカバーとを有することを特徴とする請求項１記載のフレームユニット。
【請求項４】
前記パネル保持枠は、前記ベースと該ベースに重ねて配置されたカバーとの側面に取外し可能に取り付けられる縁部材を更に備えていることを特徴とする請求項３記載のフレームユニット。
【請求項５】
前記補助具は、シャフトと、該シャフトの一端に設けられ前記パネル保持枠の被結合手段に結合可能な結合手段を備えていることを特徴とする請求項１記載のフレームユニット。
【請求項６】
前記補助具は、前記シャフトに対する結合手段の傾斜角度を調整するための角度調整手段を更に備えていることを特徴とする請求項１記載のフレームユニット。
【請求項７】
前記結合手段は磁石を有し、前記被結合手段は前記磁石に吸い付く磁性部材を有することを特徴とする請求項１記載のフレームユニット。
【請求項８】
前記結合手段は突起を更に備え、前記被結合手段は前記突起が挿入される差込孔を更に備えていることを特徴とする請求項７記載のフレームユニット。
【発明の詳細な説明】
【技術分野】
【０００１】
本発明は、広告や掲示事項等を表示するパネルを容易に交換することができるフレームユニットに関するものである。
【背景技術】
【０００２】
一般に、広告事項等を表示するパネルを交換可能に取付けるようにした額が知られている。この種の額の一例では、上記の如きパネルを、上下、左右フレームを有する額縁本体に着脱自在に取付けるようにしている（例えば、特許文献１参照）。
【０００３】
この額では、パネルは、額縁本体の上下、左右フレームに設けられた溝に弾性体を介して挿入される。また、この額では、額縁本体の裏側に設けられた開口を通してパネルを取外し且つ取付けるようにしている。
【０００４】
また他の例では、パネルを、複数の辺部分から形成された外枠部材に複数の押さえ部材を介して取り付けるようにした額が知られている（例えば、特許文献２参照）。この額では、パネル交換時、上記複数の辺部分を移動し且つ上記押さえ部材を外枠部材から取外すことによってパネルを外枠部材から取外すようにしている。
【特許文献１】特開平７−２６５１８３号公報
【特許文献２】特開２００４−１６３４０号公報
【発明の開示】
【発明が解決しようとする課題】
【０００５】
しかしながら、上記特許文献１に開示された額では、パネルは、額縁本体の裏側から取外すようになっているため、パネルの交換時には額縁本体を壁等から取外し、この取外された額縁本体から更にパネルを取外すという作業が必要であった。また、この額では、パネルが上下、左右フレームに設けられた溝の中に弾性部材を介して挿入するようにして額縁本体に保持されるため額縁本体の構造が複雑であると共に、パネルの取付けおよび取外し作業が面倒であるという問題があった。
【０００６】
また、上記特許文献２に開示された額では、パネル交換時、複数の辺部分を移動し且つ押さえ部材を外枠部材から取外すことによってパネルを外枠部材から取外すようにしているため、パネルの交換作業がきわめて煩雑であるという問題があった。
【０００７】
そこで、本発明の目的は、パネル保持枠の固定枠に対する相対移動によってのみパネル保持枠を固定枠から取外し且つ固定枠に取付けることができるようにして、パネル交換時の煩雑さを回避するようにしたフレームユニットを提供することである。
【課題を解決するための手段】
【０００８】
上記目的を達成するため、本発明に係るフレームユニットは、固定枠と、この固定枠に取付手段を介して取外し可能に固定され且つパネルを保持可能なパネル保持枠とを備え、上記取付手段は、パネル保持枠の固定枠に対する相対移動によってパネル保持枠を固定枠から取外し且つ固定枠に取付けることができるように構成され、且つパネル保持枠は、固定枠から取外すための補助具が結合される被結合手段を有する。
【発明の効果】
【０００９】
本発明の上記構成によれば、固定枠と、この固定枠に取付けられるパネル保持枠と、パネル保持枠を固定枠に取付けるための取付手段との構成が簡易であり且つこの固定枠を取付位置に固定したまま、パネル保持枠の固定枠に対する相対移動のみによってパネル保持枠を固定枠から取外し且つ固定枠に取付けることができ、これによってパネル保持枠を固定枠から容易に取外すことができるという効果を奏する。
【発明を実施するための最良の形態】
【００１０】
以下、本発明を実施するための最良の形態について図面を参照して詳細に説明する。図１乃至図４は、本発明に係るフレームユニットの一実施例を示す。このフレームユニット１は、図示の実施例では、例えば、額や広告板として形成されている。このフレームユニット１は、任意の壁（図示せず）に固定される固定枠２と、この固定枠２に取付手段３を介して取外し可能に固定されるパネル保持枠４とを備えている。
【００１１】
前記固定枠２は、図示されるように、例えば所定の厚さを有する矩形の形状を有する。この固定枠２は、アルミニウム等の軽金属やプラスチック、木材など任意の材料から作られるのが好ましい。
【００１２】
前記パネル保持枠４は、図４に示すように、所定の厚さを有する矩形状のベース５と、このベース５に重ねて配置されたカバー６とを有する。これらベース５とカバー６との間にパネル７が配置され、このパネル７は、例えば、所定の大きさおよび厚さを有するシートから形成され、広告事項や掲示事項、絵画（図示せず）等が記載されている。カバー６は、例えば、可撓性を有し、パネル７に記載された広告事項等が外部から見えるように透明であり、その一端、例えば、下端がベース５に適宜の手段、例えば、押え部材８によって固定されている（図４参照）。従って、カバー６は、その上端部が図４に矢印で示すように、ベース５から離れた開位置とベース５に接触する閉位置との間に移動することができる。パネル７は、カバー６の開位置において、このパネル７をベース５上に配置し、次いで、カバー６を閉位置にもたらすことよってベース５とカバー６との間に保持される。
【００１３】
前記カバー６が閉位置にあるとき、ベース５とカバー６とを結合するための縁部材９がベース５とカバー６との両側面にそれぞれ取付けられる。これら縁部材９のそれぞれには矩形状の溝１０が形成され、ベース５とカバー６との各側面が各縁部材９の溝１０内に挿入される。これによってパネル７を、ベース５とカバー６との間に確実に保持することができる。
【００１４】
上記パネル保持枠４は、プラスチック成形品によって作られるのが好ましい。また、パネル保持枠４は、固定枠２の正面に設けられた開口１１を通して固定枠２内に配置され、あるいは固定枠２から取外すことができる。なお、パネル保持枠４の上端及び下端には、固定枠２に配置することなく、壁面などに直接パネル保持枠４を固定するための取付孔１６が複数設けられている。
【００１５】
取付手段３は、パネル保持枠４の第一の縁、例えば上縁１２が挿入可能に固定枠２に設けられた第一の溝１３と、パネル保持枠４の第二の縁、例えば、下縁１４が挿入可能に固定枠２に設けられた第二の溝１５とを有する。
【００１６】
ここで、取付手段３は、パネル保持枠４の上縁１２が固定枠２の第一の溝１３の底まで挿入されたとき下縁１４を第二の溝１５から脱落させ、且つ上縁１２を第一の溝１３から外すことができる取外位置（図７に実線で示す状態）と、パネル保持枠４の上縁１２が固定枠２の第一の溝１３の底まで挿入され、且つ下縁１４が第二の溝１５内に挿入されたとき上縁１２および下縁１４を第一の溝１３および第二の溝１５内にそれぞれ挿入することができる取付位置（図１乃至図３に示す状態）とを有する。換言すると、パネル保持枠４の上下方向の寸法Ｈ（図４参照）は、開口１１の上下方向の寸法Ｐより若干大きく設定されているが、第一の溝１３の底から第二の溝１５の底までの距離Ｄは、パネル保持枠４の上下方向の寸法Ｈより大きく設定されており、パネル保持枠４を上方に押し上げたとき、パネル保持枠４の下端が開口１１から露出してこのパネル保持枠４を固定枠２の第一および第二の溝１３、１５内から引き出すことができるように設定されている。なお、パネル保持枠４の左右方向の寸法、換言すると、パネル保持枠４の幅Ｗは、固定枠２の開口１１の幅ｗより小さく設定されている（図４参照）。
【００１７】
上述の構成を有する取付手段３によって、固定枠２が固定された状態において、パネル保持枠４の固定枠２に対する相対移動、詳細には上下方向の移動のみによってパネル保持枠４を固定枠２から取外し且つ固定枠２に取付けることができる。なお、固定枠２の第一の溝１３内にスポンジなどのクッション材１７を入れておくことでパネル保持枠４の保持を安定させ、地震などの際にパネル保持枠４のガタ付きを確実に防ぐことができる。
【００１８】
本発明において特徴的な点は、パネル保持枠４を固定枠２から取外しあるいは取付けるために補助具２０が用いられることである。この補助具２０は、パネル保持枠４に取外し可能に結合されるものであり、図５に示すように、例えば、細長いシャフト２１と、このシャフト２１の一端に設けられた把手（図示せず）と、シャフト２１の他端に設けられた結合手段２２とを有する。シャフト２１は二段構成になっており、締付け部材３５を緩めることで伸縮自在となり、壁面に固定される固定枠２の高さ位置に対応できるようになっている。また、結合手段２２は、パネル保持枠４に設けられた被結合手段２３に結合可能である（図６参照）。
【００１９】
更に詳細に述べると、結合手段２２は、例えば、円板状の磁石２４を有し、被結合手段２３は、この磁石２４に吸い付く磁性部材２５を有する。この磁性部材２５は、例えばパネル保持枠４のベース５に埋め込まれた四角形の薄い鉄板からなる（図１乃至図４、図６及び図７参照）。図示の実施例では、磁石２４は磁性部材２５に適度の磁力で吸い付き且つ適度の力によって引き離すことができる永久磁石から成っているが、永久磁石に限定されることなく、例えば、電磁石であってもよい。また、磁性部材２５は上記のような四角形に限定されるものではないが、パネル保持枠４を脱着する際の操作のし易さからはパネル保持枠４の少なくとも下半分に位置することが望ましい。さらに、磁性部材２５は鉄板の代わりにベース５に磁性粉を混ぜて成形したり、ベース５自体を磁性部材で形成してもよい。また、鉄以外の磁性材を用いたり、磁石２４と同じ磁石に置き換えることも可能である。
【００２０】
前記磁石２４は、シャフト２１の先端から延びる細長いレバー２６に取付けられている（図５参照）。このレバー２６は、図５に示すように、その長手方向に間隔をあけて配置された複数の孔２７を有する。レバー２６は、適当な孔２７に配置されるボルト２８とこのボルト２８に螺合されるナット２９とによってシャフト２１の一端に設けられた座板２１ａに取付けられる（図５乃至図７参照）。
【００２１】
前記磁石２４は、レバー２６の一端、例えば、下端に、例えば、ボルト・ナット手段３０によって固定されている（図５および図６参照）。従って、複数の孔２７のいずれかにシャフト２１に対するレバー２６の取付け位置を変えることによって磁石２４のパネル保持枠４に対する位置、換言すると、磁性部材２５に対する位置を調整することができる。また、図５に示したように、磁石２４にカバー３６をすっぽり被せることで、パネル保持枠４の表面を磁石２４でキズ付けてしまうのを防ぐことができる。また、カバー３６は磁石２４の磁力が強すぎるような場合の調整用としても利用できる。カバー３６の材質は特に限定されないが、布製あるいは軟質の樹脂製などが好ましい。
【００２２】
補助具２０の結合手段２２は、図５に示すように、例えば、レバー２６の他端、即ち、上端に設けられた突起３１を更に備え、被結合手段２３は、この突起３１が挿入することができるようにパネル保持枠４に設けられた差込孔３２を備えている。この差込孔３２は、例えば、図２および図４に示すように、カバー６の上端に設けられた庇部３３の略中央部に設けられている。尚、符号３４は、突起３１の近くでレバー２６に取り付けられたパッドを示す（図５参照）。このパッド３４は、図６に示すように、突起３１がカバー６の上端から前方に突き出た庇部３３の差込孔３２の中に挿入されたとき、パネル保持枠４の表面に接触してこのパネル保持枠４を支持する。また、符号３７は突起３１に被せられる保護用のキャップである。
【００２３】
なお、上記の補助具２０は、シャフト２１に対して結合手段２２の傾斜角度を変えることができるように構成することができる。例えば図８に示すように、シャフト２１の上端に固定されたブラケット４０とレバー２６との間に設けた角度調整手段、例えばナックルジョイント４１によって構成される。このナックルジョイント４１は、一対のジョイント部材４１ａ，４１ｂが支軸４３によって回転可能であると共に、それぞれのジョイント部材４１ａ，４１ｂに設けた一対のストッパ４２ａ，４２ｂによって回転範囲が規制され、その範囲でシャフト２１に対するレバー２６の角度調整ができる。即ち、常時は図８（ａ）に示したように、磁石２４の重みでレバー２６が前傾して、レバー２６の先端に設けられた突起３１をパネル保持枠４の差込孔３２に挿入し易くなる。その後は、磁石２４をパネル保持枠４に近づけるようにシャフト２１を押し出すことで、図８（ｂ）に示すように、レバー２６はストッパ４２ｂに規制されるまで回転し垂直に近い状態となる。そのため、磁石２４がパネル保持枠４に設けられた磁性部材２５を吸着し易くなる。
【００２４】
また、シャフト２１に対して結合手段２２の傾斜角度を変える他の実施例として、図９に示すような構成がある。これは前記ブラケット４０が固定されるシャフト２１の上端部分２１ｂを回転軸部材４５によってシャフト２１の上部に連結したものである。シャフト上端部分２１ｂは、シャフト２１に対して回転可能となるためレバー２６を任意の角度に傾斜させることができ、所望の角度位置でナット４６を締め付けることで固定することができる。
【００２５】
次に、上記フレームユニット１の使用方法を説明する。
先ず、固定枠２からパネル保持枠４を取外す場合について説明する。図６及び図７に示すように、パネル保持枠４が固定枠２内に挿入された取付位置から補助具２０の突起３１をパネル保持枠４の差込孔３２に挿入し、且つ補助具２０の磁石２４にパネル保持枠４の磁性部材２５を吸い付かせる。次いで、補助具２０によってパネル保持枠４を若干押し上げて、パネル保持枠４の下縁１４を固定枠２の第二の溝１５から引き出し、さらに補助部２０でパネル保持枠４を支えた状態からパネル保持枠４の上縁１２を固定枠２の第一の溝１３から引き出すことで、パネル保持枠４が開口１１を通して固定枠２から取外される（図７参照）。取外されたパネル保持枠４からは図４に示した要領でパネル７を引き出し、新しいパネルに取り替える。
【００２６】
次に固定枠２にパネル保持枠４を取付ける場合を図６及び図７に基づいて説明する。この場合には新しいパネルがセットされたパネル保持枠４に補助具２０を結合する。この結合は取外し時と同様、補助具２０の突起３１をパネル保持枠４の差込孔３２に挿入し、且つ磁石２４に磁性部材２５を吸い付かせる。補助具２０に結合されたパネル保持枠４を固定枠２の開口１１側から第一および第二の溝１３、１５内に挿入する。この場合、先ず、パネル保持枠４の上端１２を第一の溝１３内に差し込み、上端１２がクッション材１７を押し潰して第一の溝１３の底に当接するまでパネル保持枠４を押し上げ、パネル保持枠４の下端１４が開口１１内に入ったならパネル保持枠４を第二の溝１５の底に落とし、パネル保持枠４の上下端１２，１４を固定枠２の第一及び第二の溝１３，１５にそれぞれ嵌め入れたのち、補助具２０をパネル保持枠４から取外す。取外す際には、補助具２０のシャフト２１を多少引っ張り上げることで磁石２４が磁性部材２５から容易に引き離され、次いでシャフト２１を引き下げて差込孔３２から突起３１を引き抜くにより補助具２０を容易に取外すことができる。このようにして新しいパネル７が装着されたパネル保持枠４を固定枠２に収容することができる。
【００２７】
以上、本発明の代表的な実施例について述べてきたが、本発明は上記実施例に限定されず、種々の変形および変更が上記実施例になされ得ることを留意されたい。
【図面の簡単な説明】
【００２８】
【図１】本発明に係るフレームユニットの一実施例を示す正面図である。
【図２】図１に示されたフレームユニットの斜視図である。
【図３】図１に示されたフレームユニットのIII−III線断面図である。
【図４】図１に示されたフレームユニットの分解斜視図である。
【図５】パネル保持枠を固定枠から取外すために使用される補助具の斜視図である。
【図６】補助具をパネル保持枠に係合させている状態を示す断面図である。
【図７】補助具によってパネル保持枠を固定枠から取外している状態を示す一部断面図である。
【図８】補助具に設けられる角度調整手段の一実施例を示す側面図である。
【図９】補助具に設けられる角度調整手段の他の実施例を示す側面図である。
【符号の説明】
【００２９】
１    フレームユニット
２    固定枠
３    取付手段
４    パネル保持枠
５    ベース
６    カバー
７    パネル
１２  上縁
１３  第一の溝
１４  下縁
１５  第二の溝
２０  補助具
２１  シャフト
２２  結合手段
２３  被結合手段
２４  磁石
２５  磁性部材
２６  レバー
３１  突起
３２  差込孔
４１  角度調整手段（ナックルジョイント）
４５  角度調整手段（回転軸部材）
【図１】
2008259755.tif 000003
【図２】
2008259755.tif 000004
【図３】
2008259755.tif 000005
【図４】
2008259755.tif 000006
【図５】
2008259755.tif 000007
【図６】
2008259755.tif 000008
【図７】
2008259755.tif 000009
【図８】
2008259755.tif 000010
【図９】
2008259755.tif 000011